(57)【要約】【課題】傾斜方向が異なる屋根面毎に太陽電池モジュールを設置した場合に、同じ方向に太陽電池モジュールの受光面が向けられている太陽電池モジュールを備えた屋根を提供することを目的とする。【解決手段】太陽電池モジュール１０を備えた屋根１００であって、前記屋根１００は、屋根１００の略中央に設けられた排水横樋１１０に向かって屋根１００の両側から緩傾斜下降する複数の屋根面１００ａ、１００ｂにて形成され、前記排水横樋１１０のそれぞれの屋根面１００ａ、１００ｂに架台２０Ａ、２０Ｂが設置され、前記排水横樋１１０のそれぞれの屋根面１００ａ、１００ｂに設置されている前記架台２０Ａ、２０Ｂに、前記太陽電池モジュール１０が、水平面に対する傾斜角度が等しくなるように、それぞれ取付けられている。【選択図】図１
2013064309.tif 000002
【特許請求の範囲】
【請求項１】
太陽電池モジュールを備えた屋根であって、
前記屋根は、屋根の略中央に設けられた排水横樋に向かって屋根の両側から緩傾斜下降する複数の屋根面にて形成され、
前記排水横樋のそれぞれの屋根面に架台が設置され、
前記排水横樋のそれぞれの屋根面に設置されている前記架台に、前記太陽電池モジュールが、水平面に対する傾斜角度が等しくなるように、それぞれ取付けられている
ことを特徴とする太陽電池モジュールを備えた屋根。
【請求項２】
請求項１に記載の太陽電池モジュールを備えた屋根において、
前記排水横樋のそれぞれの屋根面に設置された前記架台は、一方の前記架台上の前記太陽モジュールの影が、他方の前記架台上の前記太陽モジュールに投影されない位置に配置されていることを特徴とする太陽電池モジュールを備えた屋根。
【請求項３】
請求項１又は２に記載の太陽電池モジュールを備えた屋根において、
屋根面上に、複数の支持台が屋根の傾斜方向と交差する方向に離間して設けられ、複数の支持台に、前記架台が取付けられている
ことを特徴とする太陽電池モジュールを備えた屋根。
【請求項４】
請求項３に記載の太陽電池モジュールを備えた屋根において、
前記支持台に屋根の傾斜方向と交差する方向に延設する前記架台フレームが取付けられ、この架台フレームに前記架台が取付けられている
ことを特徴とする太陽電池モジュールを備えた屋根。
【請求項５】
請求項４に記載の太陽電池モジュールを備えた屋根において、
前記架台は、各架台フレームに取付けられている架台本体と、この架台本体上に設けられ、前記太陽電池モジュールを支持する支持フレームを備え、前記太陽電池モジュールの傾斜角を調整可能な調整手段を有する
ことを特徴とする太陽電池モジュールを備えた屋根。
【請求項６】
請求項５に記載の太陽電池モジュールを備えた屋根において、
前記架台本体は、各架台フレームに接合されている、屋根面傾斜方向において異なる長さの複数の脚を有する
ことを特徴とする太陽電池モジュールを備えた屋根。
【発明の詳細な説明】
【技術分野】
【０００１】
本発明は、太陽電池モジュールを備えた屋根に関する。
【背景技術】
【０００２】
従来、太陽電池モジュールを屋根に設置する際には、屋根の傾斜している屋根面と太陽電池モジュールの受光面とが平行になるように架台を設置していた（例えば、特許文献１）。ところで、屋根の形状として、屋根の略中央に向かって屋根の両側から緩傾斜下降する複数の屋根面にて形成される無落雪屋根といわれている屋根がある。
【先行技術文献】
【特許文献】
【０００３】
【特許文献１】特開平８−７０１３２号公報
【発明の概要】
【発明が解決しようとする課題】
【０００４】
しかし、無落雪屋根においては、従来のように、屋根の傾斜している屋根面と太陽電池モジュールの受光面とが平行になるように架台を設置して、太陽電池モジュールを設置すると、屋根面毎に太陽電池モジュールの受光面の方向が異なる配置になるため、複数の屋根面に太陽電池モジュールを設置した場合、同じ方向に太陽電池モジュールの受光面を向けることができなかった。
【０００５】
そのため、傾斜方向が異なる屋根面毎に太陽電池モジュールを設置した場合に、同じ方向に太陽電池モジュールの受光面を向けることが望まれる。
【０００６】
本発明は、傾斜方向が異なる屋根面毎に太陽電池モジュールを設置した場合に、同じ方向に太陽電池モジュールの受光面が向けられている太陽電池モジュールを備えた屋根を提供することを目的とする。
【課題を解決するための手段】
【０００７】
上記課題の少なくとも一つを解決するために、請求項１に記載の発明は、例えば、図１に示すように、
太陽電池モジュール１０を備えた屋根１００であって、
前記屋根１００は、屋根１００の略中央に設けられた排水横樋１１０に向かって屋根１００の両側から緩傾斜下降する複数の屋根面１００ａ、１００ｂにて形成され、
前記排水横樋１１０のそれぞれの屋根面１００ａ、１００ｂに架台２０Ａ、２０Ｂが設置され、
前記排水横樋１１０のそれぞれの屋根面１００ａ、１００ｂに設置されている前記架台２０Ａ、２０Ｂに、前記太陽電池モジュール１０が、水平面に対する傾斜角度が等しくなるように、それぞれ取付けられている
ことを特徴とする。
【０００８】
請求項１に記載の発明によれば、屋根１００の略中央に設けられた排水横樋１１０に向かって屋根１００の両側から緩傾斜下降する複数の屋根面１００ａ、１００ｂにて形成されている前記屋根１００において、前記排水横樋１１０のそれぞれの屋根面１００ａ、１００ｂに設置されている前記架台２０Ａ、２０Ｂに、前記太陽電池モジュール１０が、水平面に対する傾斜角度が等しくなるように、それぞれ取付けられていることにより、同じ方向に太陽電池モジュールの受光面を向けることができるため、同じ方向に太陽電池モジュールの受光面が向けられている太陽電池モジュールを備えた屋根を提供することができる。
【０００９】
請求項２記載の発明は、例えば図９に示すように、
請求項１に記載の太陽電池モジュール１０を備えた屋根１００において、
前記排水横樋１１０のそれぞれの屋根面１００ａ、１００ｂに設置された架台２０Ａ、２０Ｂは、一方の架台２０Ａ上の太陽モジュール１０の影が、他方の架台２０Ｂ上の太陽モジュール１０に投影されない位置に配置されている
ことを特徴とする。
【００１０】
請求項２記載の発明によれば、排水横樋１１０のそれぞれの屋根面１００ａ、１００ｂに設置された架台２０Ａ、２０Ｂのうち、一方の架台２０Ａ上の太陽モジュール１０の影Ｓが、他方の架台２０Ａ上の太陽モジュール１０に投影されないように、架台２０Ａ、２０Ｂが配置されているので、影Ｓによる太陽電池モジュール１０の発電電力量の低下を抑制することができる。
【００１１】
請求項３に記載の発明は、例えば、図１〜図５に示すように、
請求項１又は２に記載の太陽電池モジュール１０を備えた屋根１００において、
屋根面１００ａ、１００ｂ上に、複数の支持台３０が屋根１００の傾斜方向と交差する方向に離間して設けられ、複数の支持台３０に、前記架台２０Ａ、２０Ｂが設けられている
ことを特徴とする。
【００１２】
請求項３に記載の発明によれば、屋根面１００ａ、１００ｂ上に、複数の支持台３０が屋根１００の傾斜方向と交差する方向に離間して設けられ、複数の支持台３０上に、前記架台２０Ａ、２０Ｂが設けられていることにより、少なくとも支持台３０の高さ分だけ屋根面１００ａ、１００ｂの上方に、架台２０Ａ、２０Ｂが配置されているため、架台２０Ａ、２０Ｂと屋根面１００ａ、１００ｂとの間に空間が設けられ、雨水等のための流路を確保できる。
【００１３】
請求項４に記載の発明は、例えば、図１、図２に示すように、
請求項３に記載の太陽電池モジュール１０を備えた屋根１００において、
前記支持台３０に屋根の傾斜方向と交差する方向に延設する前記架台フレーム２０が取付けられ、この架台フレームに前記架台２０Ａ，２０Ｂが取付けられている
ことを特徴とする。
【００１４】
請求項４に記載の発明によれば、前記支持台３０に屋根の傾斜方向と交差する方向に延設する前記架台フレーム２０が取付けられ、この架台フレーム２０に前記架台２０Ａ、２０Ｂが取付けられていることにより、前記架台フレーム２０の長手方向の任意の位置に架台２０Ａ、２０Ｂを取り付けることができる。
【００１５】
請求項５に記載の発明は、例えば、図４に示すように、
請求項４に記載の太陽電池モジュール１０を備えた屋根１００において、
前記架台２０Ａ、２０Ｂは、各架台フレーム２０に取付けられている架台本体２０ａ、２０ｂと、この架台本体２０ａ、２０ｂ上に設けられ、前記太陽電池モジュール１０を支持する支持フレーム２６を備え、前記太陽電池モジュール１０の傾斜角を調整可能な調整手段２１ｂ、２６を有する
ことを特徴とする。
【００１６】
請求項５に記載の発明によれば、前記架台本体２０ａ、２０ｂ上に設けられ、前記太陽電池モジュール１０を支持する支持フレーム２６を備え、前記太陽電池モジュール１０の傾斜角を調整可能な調整手段２１ｂ、２６を有することにより、調整手段２１ｂ、２６により前記太陽電池モジュール１０の傾斜角を調整できるため、水平面に対する傾斜角度が屋根面毎に等しくなるように、太陽電池モジュール１０をそれぞれ取付けることができる。
【００１７】
請求項６に記載の発明は、例えば、図４、図５に示すように、
請求項５に記載の太陽電池モジュール１０を備えた屋根１００において、
前記架台本体２０ａ、２０ｂは、各架台フレーム２０に接合されている、屋根面傾斜方向において異なる長さの複数の脚を有する
ことを特徴とする。
【００１８】
請求項６に記載の発明によれば、前記架台本体２０ａ、２０ｂは、各架台フレーム２０に接合されている、屋根面傾斜方向において異なる長さの複数の脚を有することにより、傾斜方向が異なるそれぞれの屋根面１００ａ、１００ｂにおいて、同じ方向に太陽電池モジュールの受光面を向けることができる。
【発明の効果】
【００１９】
本発明によれば、傾斜方向が異なる屋根面毎に太陽電池モジュールを設置した場合に、同じ方向に太陽電池モジュールの受光面が向けられている太陽電池モジュールを備えた屋根を提供することができる。
【図面の簡単な説明】
【００２０】
【図１】本発明に係る太陽電池モジュールを備えた屋根の一例を示す図であり、（ａ）は平面図、（ｂ）は図１（ａ）のＡ−Ａ断面図、（ｃ）は図１（ａ）のＢ−Ｂ断面図である。
【図２】同、太陽電池モジュールを屋根に設置した際のイメージ図である。
【図３】太陽電池モジュールを設置する架台を支持する支持台を示す図であり、（ａ）は図１（ｂ）のａ部拡大図、（ｂ）は図１（ｂ）のｂ部拡大図、（ｃ）は図１（ｃ）のｃ部拡大図である。
【図４】太陽電池モジュールを設置する架台を示す図であり、（ａ）は図１（ａ）の屋根面１００ａに設置されている架台２０Ａを示し、（ｂ）は図１（ａ）の屋根面１００ｂに設置されている架台２０Ｂを示す図である。
【図５】同、（ａ）は図１（ａ）の屋根面１００ａに設置される架台４０Ａを示し、（ｂ）は図１（ａ）の屋根面１００ｂに設置される架台４０Ｂを示す図である。
【図６】方位角と傾斜角度とによって発電電力量の変動比率を示す表である。
【図７】傾斜角度が４０度である場合の影の状態を示す説明図である。
【図８】傾斜角度が１０度である場合の積雪の状態を示す説明図である。
【図９】傾斜角度が２０度である場合の影の状態を示す説明図である。
【図１０】架台フレーム２０及び架台２０Ａ、２０Ｂの脚２１ａ、２１ｂと支持台３０との係合関係の変形例を示す説明図である。
【図１１】図１０の架台フレーム２０、脚２１ａ、２１ｂ及び支持台３０を分解した状態を示す説明図である。
【発明を実施するための形態】
【００２１】
以下、図面を参照して本発明の実施の形態について説明する。
【００２２】
＜実施の形態＞
図１において、屋根１００の略中央に設けられた排水横樋１１０のそれぞれの屋根面１００ａ、１００ｂに配置されている架台２０Ａ，２０Ｂに、斜め方向に上下２段、横方向４列に配置された複数の太陽電池モジュール１０が設置されている屋根１００が示されている。
【００２３】
図１に示すように、前記屋根１００は、屋根１００の略中央に設けられた排水横樋１１０に向かって屋根１００の両側から緩傾斜下降する複数の屋根面１００ａ、１００ｂにて形成されている。ここで、図１（ｂ）に示すように、屋根面１００ａと屋根面１００ｂとは、排水横樋１１に向かって緩傾斜下降しているため、傾斜する方向が異なっている。ここで、図３に示すように、屋根面１００ａ、１００ｂは、複数の屋根パネル５０を配置して設けられている。屋根パネル５０は、矩形状に枠組みされた屋根パネル芯材５１上に、屋根パネル５０の構造用合板５２が設けられ、構成されている。
【００２４】
そして、前記排水横樋１１０のそれぞれの屋根面１００ａ、１００ｂに架台２０Ａ、２０Ｂが設置され、前記排水横樋１１０のそれぞれの屋根面１００ａ、１００ｂに設置されている前記架台２０Ａ、２０Ｂに、前記太陽電池モジュール１０が、水平面に対する傾斜角度が等しくなるように、それぞれ取付けられている。また、屋根面１００ａ、１００ｂ上に、複数の支持台３０が屋根１００の傾斜方向および傾斜方向と交差する方向に離間して設けられ、複数の支持台３０に、複数の架台フレーム２０を介して前記架台２０Ａ、２０Ｂが取付けられている。複数の架台フレーム２０は、屋根１００の傾斜方向と交差する方向に延設し、屋根１００の傾斜方向に互いに離間して設けられ、前記支持台３０に前記架台フレーム２０が取付けられている。なお、架台フレーム２０は、横断面コ字型をしており、ウェブとその両端に設けられたフランジとから形成されている。そして、図１（ｃ）、図３（ａ）、図３（ｂ）に示すように、架台本体２０Ａの脚２１ａ、２１ｂが、架台フレーム２０のウェブにビス２０ｃ等で固定されている。同じ架台フレーム２０に固定される脚２１ａ、２１ｂの長さはそれぞれ等しく、同じ方向に太陽電池モジュールの受光面を向けるために、屋根面の傾斜方向に互いに離間して設けられた架台フレーム２０の一方に固定される脚２１ｂの長さが他方の架台フレーム２０に固定される脚２１ａの長さよりも長い。なお、架台本体２０Ｂの脚２１ａ、２１ｂも、架台本体２０Ａと同様に、架台フレーム２０のウェブにビス２０ｃ等で固定されている。
【００２５】
図３に示すように、前記支持台３０は、直方体状の支持台本体３１とこの支持台本体３１上に設けられた金属プレート３４とから構成され、屋根パネル５０の構造用合板５２に、支持台本体３１が接着剤３２を用いて取付けられている。ここで、支持台本体３１の上部には、アンカーボルト６０ａの頭部を収納するための凹部が設けられている。そして、金属プレート３４に設けられた孔にアンカーボルト６０ａが挿通され、更にこのアンカーボルトが架台フレーム２０のフランジに設けられた孔に挿通され、このアンカーボルト６０ａにナット６０ｂを螺合して締め付けることにより、金属プレート３４と架台フレーム２０とがボルト固定されている。また、金属プレート３４に設けられている構造用ビス用の孔に、構造用ビス３３が挿通され、さらにこの構造用ビス３３が支持台本体３１に挿通されたうえで、屋根パネルの構造用合板５２と屋根パネル芯材５１にねじ込まれることによって、金属プレート３４と支持台本体３１が屋根パネルに固定されている。このように、支持台３０を屋根パネル芯材５１および構造用合板５２に固定することにより、支持台３０を屋根上に強固に固定することができる。また、屋根パネル５０の構造用合板５２と支持台３０は、防水シート５３、気密発泡シート５４等で覆われ、防水加工されている。
【００２６】
図４に示すように、架台２０Ａ、２０Ｂは、斜め方向に上下２段の太陽電池モジュール１０が取付けられる架台であって、複数の架台フレーム２０のウェブにビス２０ｃ等で取付けられている架台本体２０ａ、２０ｂと、架台本体２０ａ、２０ｂ上に設けられ、前記太陽電池モジュール１０を下方から支持する支持フレーム２６とを備えている。脚２１ｂと支持フレーム２６は、前記太陽電池モジュール１０の傾斜角を調整可能な調整手段として設けられている。即ち、脚２１ｂの長さを調整することで、フレーム２６の傾斜角を調整することができる。支持フレーム２６は水平面に対して傾斜しており、その傾斜方向の下端部が架台本体２０ａ，２０ｂの脚２１ａにピン結合されている。また、支持フレーム２６の傾斜方向の上端部は脚２１ｂの上端部にピン結合されている。
そして、このような構成の調整手段２１ｂ、２６では、支持フレーム２６を支持する脚２１ｂの長さを調整することによって、支持フレーム２６をその下端部を支点として上下に回動させて、当該支持フレーム２６の傾斜角度を調整でき、これによって、支持フレーム２６に設けられた太陽電池モジュールの傾斜角度を調整できるようになっている。
なお、架台２０Ａ、２０Ｂを構成する各部材は、ビス２０ｃ、リベット、または溶接等により適宜接合されている。また、本実施の形態では、調整手段２１ｂ、２６としての脚２１ｂと支持フレーム２６によって構成したが、本発明では調整手段を支持フレーム２６を用いずに、脚２１ｂによってのみ構成し、この脚２１ｂの上端部に直接太陽電池モジュールの上端部を取り付けてもよい。
【００２７】
架台本体２０ａ、２０ｂは、複数の脚２１ａ、２１ｂと、屋根面の傾斜方向に交差する方向に隣り合う脚２１ａが接合されている補強部材２５ａと、屋根面の傾斜方向に隣り合う複数の脚２１ａ、２１ｂの上部と下部とが接合されている複数の補強部材２５ｂとから構成されている。図４、図５に示す例では、２本の補強部材２５ｂは、それらの中央部で交差するように配置され、屋根面の傾斜方向に隣り合う複数の脚２１ａ、２１ｂの上部と下部とをそれぞれ接合している。前記架台本体２０ａ、２０ｂは、各架台フレーム２０に接合されている、屋根面傾斜方向において異なる長さの複数の脚２１ａ、２１ｂを有する。なお、屋根面１００ａ、１００ｂの面積が狭く、架台２０Ａと架台２０Ｂとを近づけて配置する必要がある場合は、屋根面１００ａに設置される架台２０Ａの影の影響を受けないように、屋根面１００ｂに設置される架台２０Ｂの脚を架台２０Ａの脚より長くなるよう設定してもよい。この場合、架台２０Ａと架台２０Ｂとを近づけて配置しても、屋根面１００ａに設置される架台２０Ａの影の影響を受けにくくなる。
【００２８】
ここで、図４に示す例では、架台２０Ａ、２０Ｂにおいては、架台本体２０ａ、２０ｂとは脚２１ｂの長さが異なっている。例えば、屋根面１００ａに設置されている架台２０Ａ上の支持フレーム２６の水平面に対する傾斜角度が、２０度に設定され、脚２１ｂの長さが決定されている場合、屋根面１００ｂに設置されている架台２０Ｂ上の支持フレーム２６の水平面に対する傾斜角度も２０度に設定され、脚２１ｂの長さが決定されている。脚２１ｂの長さは、予め設定される屋根の勾配（例えば、１／１２）に対して、予め決定されることができる。そのため、予め所定の長さに切断した脚２１ｂを用いることができる。または、例えば、脚２１ｂはその長さを調節可能な構造としてもよい。この場合、例えば、径の異なる２つの筒型部材を用意し、一方の筒型部材の内部に他方の筒型部材をスライド可能に挿入し、所定の長さになるように他方の筒型部材が挿入されている状態で、２つの筒型部材に設けられた孔が重なり、この孔にピン、ビス等を挿入し、所定の長さに固定できる部材を用いてもよい。
【００２９】
（変形例）
図４に示す例においては、架台２０Ａ、２０Ｂは、斜め方向に上下２段の太陽電池モジュール１０が取付けられる架台について説明した。しかし、図５に示すように、１段の太陽電池モジュール１０が取付けられる架台４０Ａ、４０Ｂを屋根１００に設置してもよい。架台４０Ａ、４０Ｂは、複数の架台フレーム２０と、各架台フレーム２０に接合されている架台本体４０ａ、４０ｂと、架台本体４０ａ、４０ｂ上に設けられ、前記太陽電池モジュール１０を下方から支持する支持フレーム２６とを備えている。脚２１ｂと支持フレーム２６は、前記太陽電池モジュール１０の傾斜角を調整可能な調整手段として設けられている。即ち、脚２１ｂの長さを調整することで、フレーム２６の傾斜角を調整することができる。図４の架台２０Ａ、２０Ｂと異なる点は、脚２１ｂの長さと支持フレーム２６の長さが、架台２０Ａ、２０Ｂと比べて短く設定され、架台本体４０ａ、４０ｂの大きさが小さい点である。なお、架台２０Ａ，２０Ｂ，４０Ａ，４０Ｂにおいて、脚２１ａは同じ長さの脚を用いることができる。変形例においては、上記実施の形態と同じ部材には同一の符号を付し、説明を省略する。
【００３０】
本実施の形態によれば、屋根１００の略中央に設けられた排水横樋１１０に向かって屋根１００の両側から緩傾斜下降する複数の屋根面１００ａ、１００ｂにて形成されている前記屋根１００において、前記排水横樋１１０のそれぞれの屋根面１００ａ、１００ｂに設置されている前記架台２０Ａ、２０Ｂに、前記太陽電池モジュール１０が、水平面に対する傾斜角度が等しくなるように、それぞれ取付けられていることにより、同じ方向に太陽電池モジュールの受光面を向けることができるため、同じ方向に太陽電池モジュールの受光面が向けられている太陽電池モジュールを備えた屋根を提供することができる。
【００３１】
また、屋根面１００ａ、１００ｂ上に、複数の支持台３０が屋根１００の傾斜方向と交差する方向に離間して設けられ、複数の支持台３０に、前記架台２０Ａ、２０Ｂが取付けられていることにより、すくなくとも支持台３０の高さ分だけ屋根面１００ａ、１００ｂの上に、架台２０Ａ、２０Ｂが配置されているため、架台２０Ａ、２０Ｂと屋根面１００ａ、１００ｂとの間に空間が設けられ、雨水等のための流路を確保できる。
【００３２】
また、前記支持台３０に屋根の傾斜方向と交差する方向に延設する前記架台フレーム２０が取付けられ、この架台フレーム２０に前記架台２０Ａ、２０Ｂが取付けられていることにより、前記架台フレーム２０の長手方向の任意の位置に架台２０Ａ、２０Ｂを取り付けることができる。
【００３３】
また、前記架台本体２０ａ、２０ｂ上に設けられ、前記太陽電池モジュール１０を支持する支持フレームを備え、前記太陽電池モジュール１０の傾斜角を調整可能な調整手段２１ｂ、２６を有することにより、調整手段２１ｂ、２６により前記太陽電池モジュール１０の傾斜角を調整できるため、水平面に対する傾斜角度が屋根面毎に等しくなるように、太陽電池モジュール１０をそれぞれ取付けることができる。
【００３４】
また、前記架台本体２０ａ、２０ｂは、各架台フレーム２０に接合されている、屋根面傾斜方向において異なる長さの複数の脚２１ａ、２１ｂを有することにより、傾斜方向が異なるそれぞれの屋根面１００ａ、１００ｂにおいて、同じ方向に太陽電池モジュールの受光面を向けることができる。
【００３５】
なお、架台２０Ａ、２０Ｂに取り付けられた太陽電池モジュール１０は各々水平面に対する傾斜角度が等しいと上述したが、傾斜角度として好ましい値について詳述する。図６は、方位角と傾斜角度とによって発電電力量の変動比率を示す表である。ここで、方位角が０度のときは太陽電池モジュール１０の傾斜方向が真南を向いている状態である。また、方位角が９０度のときは太陽電池モジュール１０の傾斜方向が真東若しくは真西を向いている状態である。そして、４５度のときは太陽電池モジュール１０の傾斜方向が東南若しくは西南を向いている状態である。この図６に示すように、太陽電池モジュール１０の傾斜角度が４５度若しくは２７度であって、方位角が０度のときの発電電力量を１００％とすると、その他の条件では徐々に発電電力量が低下してしまうことが分かる。また、傾斜角度が４５度若しくは２７度の場合、方位角が４５度、９０度であると発電電力量が大幅に低下してしまう。これは図７に示すように、傾斜角度が大きいと前方の架台２０Ａに搭載された太陽電池モジュール１０の影Ｓが後方の架台２０Ｂに搭載された太陽電池モジュール１０にかかってしまうことに起因する。また、傾斜角度が大きいと風の影響も大きくなってしまい好ましくない。
一方、傾斜角度が１０度であると、方位角による発電電力量の差は小さくなっている。しかしながら、傾斜角度が１０度程度であると、図８に示すように太陽電池モジュール１０上に積雪Ｔがある場合、雪がなかなか滑り落ちずに結果的に発電電力量が低下してしまう可能性が高い。
【００３６】
このため、方位角による発電電力量の差が極力小さく、なおかつ太陽電池モジュール１０から落雪させることのできる角度とのバランスから、傾斜角度は２０度とすることが好ましい。図９は傾斜角度が２０度の場合の架台２０Ａ、２０Ｂ及び太陽電池モジュール１０の状態を示している。
この場合、一方の架台２０Ａ上の太陽電池モジュール１０の影Ｓが、他方の架台２０Ｂ上の太陽モジュール１０に投影されない位置に架台２０Ａ、２０Ｂが配置されていることが好ましい。日の出時、日没時においては投影される影Ｓが最も長くなるため、そのことも考慮して他方の架台２０Ｂに影がかからないように、架台２０Ａ、２０Ｂの配置及び太陽電池モジュール１０の設置姿勢等を設定する必要がある。
排水横樋１１０のそれぞれの屋根面１００ａ、１００ｂに設置された架台２０Ａ、２０Ｂのうち、一方の架台２０Ａ上の太陽モジュール１０の影Ｓが、他方の架台２０Ａ上の太陽モジュール１０に投影されないように、架台２０Ａ、２０Ｂが配置されているので、影Ｓによる太陽電池モジュール１０の発電電力量の低下を抑制することができる。
【００３７】
また、上記実施形態では、架台２０Ａ、２０Ｂの脚２１ａ、２１ｂが架台フレーム２０とともに支持台３０上に直接載置されている場合を例示して説明しているが、図１０に示すように、支持台３０に載置された架台フレーム２０上に架台２０Ａ、２０Ｂの脚２１ａ、２１ｂを設置してもよい。
この場合、図１１に示すように、架台フレーム２０の下方からビス（図示省略）を打ち込むことで架台フレーム２０と脚２１ａ、２１ｂとを予め固定している。
また支持台３０に対しては、アンカーボルト６０ａの位置を基準にして２つの防水シート５３を貼り合わせることで防水性を確保している。防水シート５３の貼り合わせ部分は、支持台３０の上面に配置されるため、貼り合わせ部分からの水の浸入が抑制されている。貼り合わせ部分においては、２つの防水シートを重ね合わせたり、貼り合わせ部分をシール材で水密にしたりすることでより高い防水性を発揮することが可能である。
その後、脚２１ａ、２１ｂと一体化された架台フレーム２０を、アンカーボルト６０ａを介して支持台３０に載置し、アンカーボルト６０ａにナット６０ｂ（図１１では図示省略）を締結することにより、支持台３０上に架台フレーム２０及び脚２１ａ、２１ｂが固定される。
図１０に示すように、屋根面１００ａ、１００ｂよりも一段上に防水シートの貼り合わせ部分が配置されるので、雪Ｙが溶けて屋根面１００ａ、１００ｂ上を流れたとしても、貼り合わせ部分から水が浸入してしまうことを防止できる。
【符号の説明】
【００３８】
１０ 太陽電池モジュール
２０ 架台フレーム
２０Ａ 架台
２０Ｂ 架台
３０ 支持台
４０Ａ 架台
４０Ｂ 架台
１００ 屋根
１００ａ 屋根面
１００ｂ 屋根面
１１０ 排水横樋
【図１】
2013064309.tif 000003
【図２】
2013064309.tif 000004
【図３】
2013064309.tif 000005
【図４】
2013064309.tif 000006
【図５】
2013064309.tif 000007
【図６】
2013064309.tif 000008
【図７】
2013064309.tif 000009
【図８】
2013064309.tif 000010
【図９】
2013064309.tif 000011
【図１０】
2013064309.tif 000012
【図１１】
2013064309.tif 000013